(57)【要約】【課題】  荷物等を持ち歩くときに、手の平や腕への負担をなくし、比較的軽く、正常な体の向きによって長時間移動をすることができる荷物運搬補助具を提供する。【解決手段】  この発明の荷物運搬補助具は、胸側連結帯１２および背側連結帯１４と、肩に架け渡される肩掛け帯１６と、荷物に掛け止めされる荷物保持帯１８とを含み、前記肩掛け帯１６は、肩に架け渡されるように、前記胸側連結帯２０，２６と背側連結帯２２，２４に固定され、前記荷物保持帯１８は、保持された荷物が肩掛け帯により肩で支持されるように、前記胸側連結帯２０，２６及び／又は背側連結帯２２，２４を介して、前記肩掛け帯１６に連結されている。【選択図】  図１
2006288797.tif 000002
【特許請求の範囲】
【請求項１】
胸側連結帯および背側連結帯と、
肩に架け渡される肩掛け帯と、
荷物に掛け止めされる荷物保持帯とを含み、
前記肩掛け帯は、肩に架け渡されるように、前記胸側連結帯と背側連結帯に固定され、
前記荷物保持帯は、保持された荷物が肩掛け帯により肩で支持されるように、前記胸側連結帯及び／又は背側連結帯を介して、前記肩掛け帯に連結された、荷物運搬補助具。
【請求項２】
胸側連結帯及び背側連結帯は、
肩掛け帯との間において腕を通せるように、環状に連結された、請求項１に記載の荷物運搬補助具。
【請求項３】
胸側連結帯及び背側連結帯は、
無端環状の帯状体からなり、
その略中央において斜め十文字にうち違えたたすき掛け状で、
交差部を介して、左側の胸側連結帯と右側の背側連結帯とが連結し且つ左側の背側連結帯と右側の胸側連結帯とが連続するとともに、左側の胸側連結帯と左側の背側連結帯とが連続し且つ右側の胸側連結帯と右側の背側連結帯とが連続するように、略８の字状に形成された、請求項１または２に記載の荷物運搬補助具。
【請求項４】
荷物保持帯は、
環状に連続した胸側連結帯と背側連結帯とに移動自在に固定され、
わきの下から腕に沿って手の平にまで達するように形成され、手の平に近い位置において荷物に掛け止めされ、緊張して肩掛け帯で荷物を支持するように構成された、請求項１ないし３のいずれかに記載の荷物運搬補助具。
【請求項５】
一方の側の荷物保持帯は、他方の肩に掛けられた荷物の肩掛けベルト等の一部に掛けられるように構成された、請求項１ないし４のいずれかに記載の荷物運搬補助具。
【発明の詳細な説明】
【技術分野】
【０００１】
この発明は、荷物運搬補助具に関し、特に例えば人が手で持って運搬する手荷物類の運搬をするに際し肩で支持して運搬することができる、荷物運搬補助具に関する。
【背景技術】
【０００２】
人は、荷物を手で提げて運搬することが多いが、老齢化や建物の高層化等によって手で荷物を提げて運搬するにも種々の問題がある。
そこで、手で提げて持ち運びをしている重量のある手荷物でも簡単に肩で支持するようにできて、腕が自由に使えて楽に運搬することのできる運搬用補助ベルトが提案されている。
【０００３】
【特許文献１】実用新案登録第３０６７３９５号公報
【発明の開示】
【発明が解決しようとする課題】
【０００４】
しかしながら、この手荷物運搬用補助ベルトにおいても、手で提げた手荷物を人が肩で支持して運搬するに際し、両肩に荷物の重量が均一にかからず、歩くときに若干支障があり、前方を正対して歩くには不便なものである。
それゆえに、この発明の主たる目的は、荷物等を持ち歩くときに、手の平や腕への負担をなくし、比較的軽く、正常な体の向きによって長時間移動をすることができる荷物運搬補助具を提供することである。
【課題を解決するための手段】
【０００５】
この発明の請求項１にかかる荷物運搬補助具は、胸側連結帯および背側連結帯と、肩に架け渡される肩掛け帯と、荷物に掛け止めされる荷物保持帯とを含み、前記肩掛け帯は、肩に架け渡されるように、前記胸側連結帯と背側連結帯に固定され、前記荷物保持帯は、保持された荷物が肩掛け帯により肩で支持されるように、前記胸側連結帯及び／又は背側連結帯を介して、前記肩掛け帯に連結された、荷物運搬補助具である。
この発明の請求項２にかかる荷物運搬補助具は、胸側連結帯及び背側連結帯は、肩掛け帯との間において腕を通せるように、環状に連結された、請求項１に記載の荷物運搬補助具である。
この発明の請求項３にかかる荷物運搬補助具は、胸側連結帯及び背側連結帯は、無端環状の帯状体からなり、その略中央において斜め十文字にうち違えたたすき掛け状で、交差部を介して、左側の胸側連結帯と右側の背側連結帯とが連結し且つ左側の背側連結帯と右側の胸側連結帯とが連続するとともに、左側の胸側連結帯と左側の背側連結帯とが連続し且つ右側の胸側連結帯と右側の背側連結帯とが連続するように、略８の字状に形成された、請求項１または２に記載の荷物運搬補助具である。
この発明の請求項４にかかる荷物運搬補助具は、荷物保持帯は、環状に連続した胸側連結帯と背側連結帯とに移動自在に固定され、わきの下から腕に沿って手の平にまで達するように形成され、手の平に近い位置において荷物に掛け止めされ、緊張して肩掛け帯で荷物を支持するように構成された、請求項１ないし３のいずれかに記載の荷物運搬補助具である。
この発明の請求項５にかかる荷物運搬補助具は、一方の側の荷物保持帯は、他方の肩に掛けられた荷物の肩掛けベルト等の一部に掛けられるように構成された、請求項１ないし４のいずれかに記載の荷物運搬補助具である。
【発明の効果】
【０００６】
この発明によれば、肩掛け帯は、肩に架け渡されるように胸側連結帯と背側連結帯に固定され、荷物保持帯は、保持された荷物が肩掛け帯により肩で支持されるように、胸側連結帯及び／又は背側連結帯を介して肩掛け帯に連結されているので、荷物等を持ち歩くときに手の平や腕への負担を軽減し、前を正対して長時間歩くことができる。
請求項２の発明によれば、肩掛け帯と胸側連結帯と背側連結帯との間において腕を通し、肩掛け帯を肩に掛けることにより荷物を荷物保持帯で保持し、肩掛け帯により支持することにより運搬できるので、荷物等を持ち歩くときに手の平や腕への負担を軽くして肩でしっかりと荷物を支持することができる。
請求項３の発明によれば、胸側連結帯及び背側連結帯の斜め十文字にうち違えたたすき掛け状の交差部分において、背で胸側連結帯及び背側連結帯を保持することができ、胸側連結帯及び背側連結帯を介して荷物に掛け止めされる荷物保持帯を連結しているので、荷物保持帯に保持された荷物を肩掛け帯により肩で支持するとともに、胸側連結帯及び背側連結帯の十文字状の交差部分において背中の上部特に首の根元部分において確実に荷物を保持することができるので、荷物等を持ち歩くときに、手の平及び腕への負担を軽減することができ、長時間の移動にも耐えることができる。
請求項４の発明によれば、荷物保持帯を、洋服のわきの下から腕に沿って手の平にまで達するように洋服の腕の中を通して、荷物を掛け止めすることができ、外見上は荷物運搬補助具を使用していることがほとんどわからずに、肩掛け帯で荷物を支持して荷物を運搬することができる。
請求項５の発明によれば、一方の肩側の荷物保持帯は、他方の肩に掛けられた荷物の肩ヒモ等の一部に掛けられるように構成されているので、例えばショルダーバッグの肩掛けベルトなどのような荷物の肩ヒモ等の一部に掛けることにより、ショルダーバッグ等の荷物が肩からずり落ちることを防止する。また、肩から落とさないように肩をあげて歩くために生じる身体のゆがみと、引ったくりされることとを防止することができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明の一実施の形態である荷物運搬補助具の斜視図解図である。
図２は、図１図示荷物運搬補助具の利用方法を示す斜視図解図である。
図３は、図１図示荷物運搬補助具の利用方法を示す斜視図解図である。
図４は、図１図示荷物運搬補助具の荷物保持帯による荷物の掛け止め方法を示す斜視図解図である。
図５は、図１図示荷物運搬補助具の荷物保持帯による荷物の掛け止め方法を示す斜視図解図である。
【０００９】
この発明にかかる荷物運搬補助具１０は、胸側連結帯１２と、背側連結帯１４と、肩に架け渡される肩掛け帯１６と、荷物に掛け止めされる荷物保持体１８とを含む。
【００１０】
肩掛け帯１６は、肩に架け渡されるように、胸側連結帯１２と背側連結帯１４との間に架け渡されて固定されている。
また、荷物保持帯１８は、保持された荷物が肩掛け帯１６により肩で支持されるように、胸側連結帯１２及び背側連結帯１４を介して、肩掛け帯１６に連結されている。
【００１１】
胸側連結帯１２及び背側連結帯１４は、無端環状の帯状体からなる。
すなわち、胸側連結帯１２及び背側連結帯１４は、一体化された合成樹脂製ベルトなどの帯状体が無端環状に連結され、その略中央において、斜め十文字にうち違えたたすき掛け状に形成されている。
この実施の形態においては、左側の胸側連結帯２０と右側の背側連結帯２２とが連続し且つ左側の背側連結帯２４と右側の胸側連結帯２６とが連続している。
また、左側の胸側連結帯２０と左側の背側連結帯２４とが連続し且つ右側の背側連結帯２２と右側の胸側連結帯２６とが連続するように構成されている。
しかして、全体として概観すれば、胸側連結帯１２と背側連結帯１４とは、交差部２８を介して輪状の左側の胸側連結帯２０及び左側の背側連結帯２４と輪状の右側の背側連結帯２２及び右側の胸側連結帯２６とが連続した略８の字状に形成されている。
【００１２】
また、左側の胸側連結帯２０と左側の背側連結帯２４とは環状に連続され、右側の背側連結帯２２と右側の胸側連結帯２６も環状に連結され、左側の肩掛け帯１６ａは、左側の肩掛け帯１６ａとの間において腕を通せるように、左側の胸側連結帯２０及び左側の背側連結帯２４の適宜な位置に固定され、また、右側の肩掛け帯１６ｂは、右側の背側連結帯２２と右側の胸側連結帯２６とが環状に連結され、右側の肩掛け帯１６ｂとの間において腕を通せるように、右側の背側連結帯２２及び右側の胸側連結帯２６の適宜な位置において固定されている。
【００１３】
荷物保持帯１８は、その上端の輪状部３０が形成され、輪状部３０に環状の胸側連結帯１２及び背側連結帯１４が貫挿され、移動自在に固定されている。
そして、荷物保持帯１８の自由端には、面ファスナーの一方の面ファスナー３４が固着され、前記面ファスナー３４より上部にもう一方の面ファスナー３６が固着され、一対の面ファスナー３４と面ファスナー３６が係合されることにより、輪状部３２が形成されるように構成されている。
【００１４】
荷物保持帯１８は、胸側連結帯１２と背側連結帯１４とが環状に連結された部分でわきの下に位置する部位から人の腕に沿って手の平にまで達するように形成され、その長さは、荷物保持帯１８の輪状部３２に引掛けられた荷物を緊張した状態で肩掛け帯１６で支持することができるように、最適な長さに調整することができる。
この荷物運搬補助具１０を実際に使用するに当たっては、まず胸側連結帯１２と背側連結帯１４の交差部２８近傍を背中の首の根元近傍におき、左側の胸側連結帯２０と左側の背側連結帯２４と左側の肩掛け帯１６ａとの間の環状部分に左腕を通し、また、右側の背側連結帯２２と右側の胸側連結帯２６と右側肩掛け帯１６ｂとの間の環状部分に右腕を通し、左右の肩掛け帯１６を肩に掛け、荷物保持帯１８を上着の腕の中に通す。そして、荷物保持帯１８は、その輪状部３０を脇の下に位置させて、輪状部３０より下方を右腕及び左腕に沿って下方に垂らし、手の平の部分で手荷物の例えば提げ手に引掛けて手で押さえるようにすればよい。
そして、荷物保持帯１８の自由端には、面ファスナーの一方の面ファスナー３４が固着され、前記面ファスナー３４より上部にもう一方の面ファスナー３６が固着され、一対の面ファスナー３４と面ファスナー３６が係合されることにより、輪状部３２が形成されるように構成されているので、その輪状部３２に荷物の提げ手を貫挿させることができる。輪状部３２は、荷物保持帯１８の自由端近傍を荷物の提げ手に二重または三重に巻き付けとなる、二重または三重の輪を形成してもよい。
したがって、荷物保持帯１８に引掛けられた荷物の重みにより荷物保持帯１８が緊張し、肩掛け帯１６で荷物を保持することができ、そのまま持ち運びすることができる。
【００１５】
荷物保持帯１８は、その中間に面ファスナー３８が固着され、その先端の面ファスナー３４または面ファスナー３６と係合させることにより、輪状部３９が形成されるように構成されている。
荷物保持帯１８は、前記したように長く手の部分まで垂らしておく必要のないときや輪状部３９に荷物の提げ手を貫挿させて、腕の中間近傍で荷物を保持するときに、輪状部３９を形成する。輪状部３９は、荷物保持帯１８の中間より下方を荷物の提げ手に二重または三重に巻き付けるように、二重または三重の輪を形成してもよい。
【００１６】
胸側連結帯１２は、ずれ防止具４０が付設されている。
この実施の形態におけるずれ防止具４０は、左側の胸側連結帯２０と右側の胸側連結帯２６にそれぞれずれ防止帯４２とずれ防止帯４４が付設され、ずれ防止帯４２及びずれ防止帯４４は、それぞれその先端に係脱することができるようなフック具４６が設けられている。ずれ防止帯４２及びずれ防止帯４４は、その長さを調整できるように構成されており、左側の胸側連結帯２０に付設された左側のずれ防止帯４２の先端のフック具４６と右側の胸側連結帯２６に付設されたずれ防止帯４４の先端に設けられたフック具４６とを係合させることにより、胸の前で緊張した状態で左側の胸側連結帯２０と右側の胸側連結帯２６とを引っ張ることができるように構成されている。
【００１７】
また、図６において示すように、一方の荷物保持帯１８を輪状部３２をもって、他方の肩に掛けられた荷物、例えばショルダーバッグ等の肩ヒモ５０等の一部に掛ければ、ショルダーバッグの肩掛けベルトなどのような荷物の肩ヒモ等の一部に掛けることにより、ショルダーバッグ等の荷物が肩からずり落ちることを防止し、また引ったくりされることを防止することができる。
また、このずれ防止具４０には、図２に示すように、携帯電話等を入れる袋やＭＤプレイヤー等の音響機器を入れることのできる袋５２，５４を、開口部近傍に設けられたフック５２ａ，５４ａにより吊り下げることができる。
【００１８】
この発明は、前記実施の形態に限らず、この発明の思想に基づき種々変更することが可能である。
例えば、図７において示すように、胸側連結帯１１２と背側連結帯１１４とを前記実施の形態のようにたすき掛け状とせず、単なる無端環状にした構成としてもよい。
【００１９】
この発明にかかる荷物運搬補助具１１０は、胸側連結帯１１２と、背側連結帯１１４と、肩に架け渡される肩掛け帯１１６と、荷物に掛け止めされる荷物保持体１１８とを含む。
【００２０】
肩掛け帯１１６は、肩に架け渡されるように、胸側連結帯１１２と背側連結帯１１４との間に架け渡されて固定されている。
また、荷物保持帯１１８は、保持された荷物が肩掛け帯１１６により肩で支持されるように、胸側連結帯１１２及び背側連結帯１１４を介して、肩掛け帯１１６に連結されている。
【００２１】
胸側連結帯１１２及び背側連結帯１１４は、無端環状の帯状体からなる。
すなわち、胸側連結帯１１２及び背側連結帯１１４は、一体化された合成樹脂製ベルトなどの帯状体が無端環状に連結されて形成されている。
この実施の形態においては、左側の胸側連結帯１２０と左側の背側連結帯１２４とが連続し且つ右側の胸側連結帯１２６と右側の背側連結帯１２２とが連続している。
また、左側の胸側連結帯１２０と右側の胸側連結帯１２６とが連続し且つ左側の背側連結帯１２４と右側の背側連結帯１２２とが連続するように構成されている。
しかして、全体として概観すれば、胸側連結帯１１２と背側連結帯１１４とは、輪状に形成されている。
【００２２】
左側の肩掛け帯１１６ａは、左側の肩掛け帯１１６ａとの間において腕を通せるように、左側の胸側連結帯１２０及び左側の背側連結帯１２４の適宜な位置に固定され、また、右側の肩掛け帯１１６ｂは、右側の肩掛け帯１１６ｂとの間において腕を通せるように、右側の背側連結帯１２２及び右側の胸側連結帯１２６の適宜な位置において固定されている。
【００２３】
荷物保持帯１１８は、その上端の輪状部１３０が形成され、輪状部１３０に環状の胸側連結帯１１２及び背側連結帯１１４が貫挿され、移動自在に固定されている。
そして、荷物保持帯１１８の自由端には、面ファスナーの一方の面ファスナー１３４が固着され、前記面ファスナー１３４より上部にもう一方の面ファスナー１３６が固着され、一対の面ファスナー１３４と面ファスナー１３６が係合されることにより、輪状部１３２が形成されるように構成されている。
【００２４】
そして、荷物保持帯１１８は、胸側連結帯１１２と背側連結帯１１４とが環状に連結された部分でわきの下に位置する部位から人の腕に沿って手の平にまで達するように形成され、その長さは、荷物保持帯１１８の先端の輪状部１３２に引掛けられた荷物を緊張した状態で肩掛け帯１１６で支持することができるように、最適な長さに調整することができる。
この荷物運搬補助具１１０を実際に使用するに当たっては、まず胸側連結帯１１２と背側連結帯１１４と左側の肩掛け帯１１６ａ及び右側の肩掛け帯１１６ｂの間に首を入れて首の根元近傍におき、左側の胸側連結帯１２０と左側の背側連結帯１２４と左側の肩掛け帯１１６ａとの間の環状部分に左腕を通し、また、右側の背側連結帯１２２と右側の胸側連結帯１２６と右側肩掛け帯１１６ｂとの間の環状部分に右腕を通し、左右の肩掛け帯１６を肩に掛け、荷物保持帯１１８を上着の腕の中に通し、右腕及び左腕に沿って下方に垂らし、手の平の部分で手荷物の例えば提げ手に引掛けて手で押さえるようにすればよい。
そして、荷物保持帯１１８の自由端には、面ファスナーの一方の面ファスナー１３４が固着され、前記面ファスナー１３４より上部にもう一方の面ファスナー１３６が固着され、一対の面ファスナー１３４と面ファスナー１３６が係合されることにより、輪状部１３２が形成されるように構成されているので、その輪状部１３２に荷物の提げ手を貫挿させればよい。。
したがって、荷物保持帯１１８に引掛けられた荷物の重みにより荷物保持帯１１８が緊張し、肩掛け帯１１６で荷物を保持することができ、そのまま持ち運びすることができる。
【図面の簡単な説明】
【００２５】
【図１】この発明の一実施の形態である荷物運搬補助具の斜視図解図である。
【図２】図１図示荷物運搬補助具の利用方法を示す斜視図解図である。
【図３】図１図示荷物運搬補助具の利用方法を示す斜視図解図である。
【図４】図１図示荷物運搬補助具の荷物保持体による荷物の掛け止め方法を示す斜視図解図である。
【図５】図１図示荷物運搬補助具の荷物保持体による荷物の掛け止め方法を示す斜視図解図である。
【図６】図１図示荷物運搬補助具の荷物保持体による利用方法を示す斜視図解図である。
【図７】この発明の別の実施の形態である荷物運搬補助具の斜視図解図である。
【符号の説明】
【００２６】
１０，１１０  荷物運搬補助具
１２，１１２  胸側連結帯
１４，１１４  背側連結帯
１６，１１６  肩掛け帯
１６ａ，１１６ａ  左側の肩掛け帯
１６ｂ，１１６ｂ  右側の肩掛け帯
１８，１１８  荷物保持帯
２０，１２０  左側の胸側連結帯
２２，１２２  右側の背側連結帯
２４，１２４  左側の背側連結帯
２６，１２６  右側の胸側連結帯
２８  交差部
３０，１３０  輪状部
３２，１３２  輪状部
３４，１３４  面ファスナー
３６，１３６  面ファスナー
３８  面ファスナー
３９  輪状部
４０  ずれ防止具
４２  ずれ防止帯
４４  ずれ防止帯
４６  フック具
５０  肩ヒモ
【図１】
2006288797.tif 000003
【図２】
2006288797.tif 000004
【図３】
2006288797.tif 000005
【図４】
2006288797.tif 000006
【図５】
2006288797.tif 000007
【図６】
2006288797.tif 000008
【図７】
2006288797.tif 000009
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
胸側連結帯および背側連結帯と、
肩に架け渡される肩掛け帯と、
荷物に掛け止めされる荷物保持帯と、
胸側連結体に付設されたずれ防止具とを含み、
前記胸側連結帯及び背側連結帯は、
無端環状の帯状体からなり、
その略中央において斜め十文字にうち違えたたすき掛け状で、
交差部を介して、左側の胸側連結帯と右側の背側連結帯とが連結し且つ左側の背側連結帯と右側の胸側連結帯とが連続するとともに、左側の胸側連結帯と左側の背側連結帯とが連続し且つ右側の胸側連結帯と右側の背側連結帯とが連続するように、略８の字状に形成され、
前記肩掛け帯は、肩に架け渡されるように、前記左側の胸側連結帯と左側の背側連結帯に固定され且つ前記右側の胸側連結帯と右側の背側連結帯に固定され、
前記胸側連結帯と背側連結帯との交差部の近傍を背中の首の根元近傍におくとともに 左側の胸側連結帯と左側の背側連結帯と左側の肩掛け帯との間の環状部分に左腕を通し、且つ、右側の背側連結帯と右側の胸側連結帯と右側肩掛け帯との間の環状部分に右腕を通して、左右の肩掛け帯を肩に掛けるように構成され、
前記荷物保持帯は、保持された荷物が肩掛け帯により肩で支持されるように、その上端に輪状部が形成され、環状に連続した胸側連結帯と背側連結帯とに前記輪状部が貫挿されて移動自在に固定され、わきの下から腕に沿って手の平にまで達するように形成され、手の平に近い位置において荷物に掛け止めされ、緊張して肩掛け帯で荷物を支持するように構成され、
前記ずれ防止具は、左側の胸側連結帯と右側の胸側連結帯にそれぞれ左側のずれ防止帯と右側のずれ防止帯が付設され、前記左側のずれ防止帯及び前記右側のずれ防止帯は、それぞれその先端に係脱することができるようなフック具が設けられ、前記左側のずれ防止帯及び前記右側のずれ防止帯は、左側の胸側連結帯に付設された左側のずれ防止帯の先端のフック具と右側の胸側連結帯に付設されたずれ防止帯の先端に設けられたフック具とを係合させることにより、胸の前で緊張した状態で左側の胸側連結帯と右側の胸側連結帯とを引っ張ることができるように構成された、荷物運搬補助具。
【請求項２】
胸側連結帯、背側連結帯及び肩掛け帯は、合成樹脂製ベルトからなる帯状体であり、
胸側連結帯及び背側連結帯は、肩掛け帯との間において腕を通せるように、無端環状に連結された、請求項１に記載の荷物運搬補助具。
【請求項３】
荷物保持帯は、
自由端に、面ファスナーの一方の面ファスナーが固着され、前記面ファスナーより上部にもう一方の面ファスナーが固着され、前記一対の面ファスナーが係合されることにより、輪状部が形成されるように構成された、請求項１または２に記載の荷物運搬補助具。
【請求項４】
一方の側の荷物保持帯は、他方の肩に掛けられた荷物の肩掛けベルト等の一部に掛けられるように構成された、請求項１ないし３のいずれかに記載の荷物運搬補助具。
【請求項５】
ずれ防止具は、袋をフックにより吊り下げられるように構成された、請求項１ないし４のいずれかに記載の荷物運搬補助具。
【手続補正２】
【補正対象書類名】明細書
【補正対象項目名】０００５
【補正方法】変更
【補正の内容】
【０００５】
この発明の請求項１にかかる胸側連結帯および背側連結帯と、
肩に架け渡される肩掛け帯と、
荷物に掛け止めされる荷物保持帯と、
胸側連結体に付設されたずれ防止具とを含み、
前記胸側連結帯及び背側連結帯は、
無端環状の帯状体からなり、
その略中央において斜め十文字にうち違えたたすき掛け状で、
交差部を介して、左側の胸側連結帯と右側の背側連結帯とが連結し且つ左側の背側連結帯と右側の胸側連結帯とが連続するとともに、左側の胸側連結帯と左側の背側連結帯とが連続し且つ右側の胸側連結帯と右側の背側連結帯とが連続するように、略８の字状に形成され、
前記肩掛け帯は、肩に架け渡されるように、前記左側の胸側連結帯と左側の背側連結帯に固定され且つ前記右側の胸側連結帯と右側の背側連結帯に固定され、
前記胸側連結帯と背側連結帯との交差部の近傍を背中の首の根元近傍におくとともに 左側の胸側連結帯と左側の背側連結帯と左側の肩掛け帯との間の環状部分に左腕を通し、且つ、右側の背側連結帯と右側の胸側連結帯と右側肩掛け帯との間の環状部分に右腕を通して、左右の肩掛け帯を肩に掛けるように構成され、
前記荷物保持帯は、保持された荷物が肩掛け帯により肩で支持されるように、その上端に輪状部が形成され、環状に連続した胸側連結帯と背側連結帯とに前記輪状部が貫挿されて移動自在に固定され、わきの下から腕に沿って手の平にまで達するように形成され、手の平に近い位置において荷物に掛け止めされ、緊張して肩掛け帯で荷物を支持するように構成され、
前記ずれ防止具は、左側の胸側連結帯と右側の胸側連結帯にそれぞれ左側のずれ防止帯と右側のずれ防止帯が付設され、前記左側のずれ防止帯及び前記右側のずれ防止帯は、それぞれその先端に係脱することができるようなフック具が設けられ、前記左側のずれ防止帯及び前記右側のずれ防止帯は、左側の胸側連結帯に付設された左側のずれ防止帯の先端のフック具と右側の胸側連結帯に付設されたずれ防止帯の先端に設けられたフック具とを係合させることにより、胸の前で緊張した状態で左側の胸側連結帯と右側の胸側連結帯とを引っ張ることができるように構成された、荷物運搬補助具である。
この発明の請求項２にかかる胸側連結帯、背側連結帯及び肩掛け帯は、合成樹脂製ベルトからなる帯状体であり、
胸側連結帯及び背側連結帯は、肩掛け帯との間において腕を通せるように、無端環状に連結された、請求項１に記載の荷物運搬補助具である。
この発明の請求項３にかかる荷物保持帯は、
自由端に、面ファスナーの一方の面ファスナーが固着され、前記面ファスナーより上部にもう一方の面ファスナーが固着され、前記一対の面ファスナーが係合されることにより、輪状部が形成されるように構成された、請求項１または２に記載の荷物運搬補助具である。
この発明の請求項４にかかる一方の側の荷物保持帯は、他方の肩に掛けられた荷物の肩掛けベルト等の一部に掛けられるように構成された、請求項１ないし３のいずれかに記載の荷物運搬補助具である。
この発明の請求項５にかかるずれ防止具は、袋をフックにより吊り下げられるように構成された、請求項１ないし４のいずれかに記載の荷物運搬補助具である。
【手続補正３】
【補正対象書類名】明細書
【補正対象項目名】０００６
【補正方法】変更
【補正の内容】
【０００６】
この発明によれば、肩掛け帯は、肩に架け渡されるように胸側連結帯と背側連結帯に固定され、荷物保持帯は、保持された荷物が肩掛け帯により肩で支持されるように、胸側連結帯及び／又は背側連結帯を介して肩掛け帯に連結されているので、荷物等を持ち歩くときに手の平や腕への負担を軽減し、前を正対して長時間歩くことができる。
そして、肩掛け帯と胸側連結帯と背側連結帯との間において腕を通し、肩掛け帯を肩に掛けることにより荷物を荷物保持帯で保持し、肩掛け帯により支持することにより運搬できるので、荷物等を持ち歩くときに手の平や腕への負担を軽くして肩でしっかりと荷物を支持することができる。
また、胸側連結帯及び背側連結帯の斜め十文字にうち違えたたすき掛け状の交差部分において、背で胸側連結帯及び背側連結帯を保持することができ、胸側連結帯及び背側連結帯を介して荷物に掛け止めされる荷物保持帯を連結しているので、荷物保持帯に保持された荷物を肩掛け帯により肩で支持するとともに、胸側連結帯及び背側連結帯の十文字状の交差部分において背中の上部特に首の根元部分において確実に荷物を保持することができるので、荷物等を持ち歩くときに、手の平及び腕への負担を軽減することができ、長時間の移動にも耐えることができる。
また、荷物保持帯を、洋服のわきの下から腕に沿って手の平にまで達するように洋服の腕の中を通して、荷物を掛け止めすることができ、外見上は荷物運搬補助具を使用していることがほとんどわからずに、肩掛け帯で荷物を支持して荷物を運搬することができる。
また、一方の肩側の荷物保持帯は、他方の肩に掛けられた荷物の肩ヒモ等の一部に掛けられるように構成すれば、例えばショルダーバッグの肩掛けベルトなどのような荷物の肩ヒモ等の一部に掛けることにより、ショルダーバッグ等の荷物が肩からずり落ちることを防止する。また、肩から落とさないように肩をあげて歩くために生じる身体のゆがみと、引ったくりされることとを防止することができる。
【手続補正４】
【補正対象書類名】明細書
【補正対象項目名】００２５
【補正方法】変更
【補正の内容】
【００２５】
【図１】この発明の一実施の形態である荷物運搬補助具の斜視図解図である。
【図２】図１図示荷物運搬補助具の利用方法を示す斜視図解図である。
【図３】図１図示荷物運搬補助具の利用方法を示す斜視図解図である。
【図４】図１図示荷物運搬補助具の荷物保持体による荷物の掛け止め方法を示す斜視    図解図である。
【図５】図１図示荷物運搬補助具の荷物保持体による荷物の掛け止め方法を示す斜視    図解図である。
【図６】図１図示荷物運搬補助具の荷物保持体による利用方法を示す斜視図解図であ    る。
【図７】この発明に関連する荷物運搬補助具の斜視図解図である。